(57)【特許請求の範囲】
【請求項１】
単位用紙に所望の情報を印字する単片プリント部と、前記単片プリント部の後段に設け、前記単位用紙の表裏面を反転する表裏反転部と、前記表裏反転部の後段に設け、印字した単位用紙を移送しながら水平方向に９０度回転して単位用紙の縦横位置を変換し、用紙移送経路に対して進退可能であり、進出時に変換動作状態となる一方、退出時には非変換動作状態となる縦横変換部と、反転した製本の区分けとなる用紙となるべき単位用紙を除いた各単位用紙の上面側の所定位置に糊を塗布する糊塗布部と、単位用紙を反転させる湾曲状のガイド板及び反転した単位用紙を突き当てるストッパを備え、単位用紙の糊塗布面を下向きにして順次堆積することにより単位用紙を対接した糊塗布部分で綴じ合わせて冊子とするスタッカ部を備えたことを特徴とする製本装置。
【発明の詳細な説明】
【０００１】
【発明の属する技術分野】
本発明は、所望の情報を印字した単位用紙を所定枚数丁合し、表紙となるべき単位用紙を除いた各単位用紙の所定重ね合わせ面に塗布した糊によって綴じ合わせて冊子を作成する製本装置に関する。
【０００２】
【従来の技術】
従来から、所定枚数の単位用紙を１グループ毎に丁合して綴じ合わせ、小冊子類を作成する製本装置は知られているが、従来の綴じ合わせはステープル綴じで行われている。
【０００３】
【発明が解決しようとする課題】
ところが、ステープル綴じでは、綴じ枚数に制限があり、また、針金の材質や綴じ形状に制約されるほか、針金の材質や綴じ形状が選択されると、用紙の綴じ枚数を所定の範囲内で行わないと体裁の悪いものになっていた。例えば、用紙の綴じ枚数が所定枚数より少ないと、針金が異常にはみ出したり、飛び出したりする一方、用紙の綴じ枚数が所定枚数より多いと、針金が潰れてしまって綴じ合わせられないという問題があった。
【０００４】
これらの問題を解決するために、糊綴じを採用することも試みられてはいるが、綴じ枚数が非常に少なかったり、逆に非常に多い場合には、手間がかかって処理が煩雑になるという問題がある。
【０００５】
本発明は、このような事情に鑑みてなされたもので、糊綴じによって、枚数の多少に関わらず、簡単、かつ確実な綴じ処理を行える製本装置を提供することを目的とする。
【０００６】
【課題を解決するための手段】
請求項１記載の発明に係る製本装置は、単位用紙に所望の情報を印字する単片プリント部と、前記単片プリント部の後段に設け、前記単位用紙の表裏面を反転する表裏反転部と、前記表裏反転部の後段に設け、印字した単位用紙を移送しながら水平方向に９０度回転して単位用紙の縦横位置を変換し、用紙移送経路に対して進退可能であり、進出時に変換動作状態となる一方、退出時には非変換動作状態となる縦横変換部と、反転した製本の区分けとなる用紙となるべき単位用紙を除いた各単位用紙の上面側の所定位置に糊を塗布する糊塗布部と、単位用紙を反転させる湾曲状のガイド板及び反転した単位用紙を突き当てるストッパを備え、単位用紙の糊塗布面を下向きにして順次堆積することにより単位用紙を対接した糊塗布部分で綴じ合わせて冊子とするスタッカ部を備えたことを特徴とする。
【０００７】
【発明の実施形態】
以下、本発明の実施の形態について、図１〜図４を参照しつつ説明する。ここにおいて、図１は製本装置の全体を概略的に示す側面図、図２は縦横変換部の変換動作状態時の動作を示す斜視図、図３は同じく非変換動作状態時の動作を示す斜視図、図４は区分けマークを設けた単位用紙を示す平面図である。
【０００８】
図１に示すように、製本装置１は、単位用紙１００に所望の情報を印字する単片プリント部たる単片プリンタ２と、印字した単位用紙１００の表裏面を反転する表裏反転部３と、冊子２００（図２、図３参照）を形成する単位用紙１００毎に区分けをするために、表裏反転した単位用紙１００の表面の所定位置にあらかじめ付された区分けマーク１０１（図４参照）を読み取るためのマークセンサ４とを備えている。
【０００９】
マークセンサ４に続いて、製本装置１は、単位用紙１００を移送しながら水平方向に９０度回転して単位用紙１００の縦横位置を変換する縦横変換部５と、製本の区分けとなる用紙、例えば表紙である先頭ページとなるべき単位用紙１００を除いた各単位用紙１００の上面側の所定位置に糊を塗布する糊塗布部たる糊ノズル６と、単位用紙１００の糊塗布面を下向きにして順次堆積することにより単位用紙１００を対接した糊塗布部分で綴じ合わせて冊子２００とするスタック部７を備えている。
【００１０】
図４に示すように、所定の単位用紙１００の表面には、冊子２００を構成するために糊塗布の有無を識別し、塗布動作を制御するための区分けマーク１０１を設けている。本実施形態では、上述のように、先頭ページとなるべき単位用紙１００の表面（上面側）には糊を塗布しないので、前記区分けマーク１０１は冊子２００となる１グループの最終ページにあたる単位用紙１００に設け、この区分けマーク１０１を設けた次の単位用紙１００である先頭ページとなる単位用紙１００表面には、糊を塗布しないよう塗布動作を制御するものである。
【００１１】
図４に仮想線で示した糊を塗布する位置１０２は、単位用紙１００の表面に位置して区分けマーク１０１部分にも対応し、冊子２００形成後には前記区分けマーク１０１が目立たないようにしてある。
【００１２】
ここで、製本装置１の構造を、図１に基づいて、さらに詳細に説明する。単片プリンタ２は、各単位用紙１００の表面側に所望の情報を印字したうえ、表面である印字面を下にして排出するものである。
【００１３】
この単片プリンタ２に続いて表裏反転部３が設けられており、表裏反転部３は、各単位用紙１００をほぼ垂直状態で一時的に収容する反転ガイド３１と、反転ガイド３１内へ各単位用紙１００を先端側から送入するために所定方向に回転する一対の送入ローラ３２，３３と、反転ガイド３１内から各単位用紙１００を後端側から送出して表裏反転するために所定方向に回転する一対の送出ローラ３４，３５からなる。
【００１４】
表裏反転部３で表裏面が反転され、表面が上になった各単位用紙１００は、マークセンサ４を通過する際に、区分けマーク１０１があると、これが読み取られる。この読み取り信号に基づいて糊ノズル６における糊塗布動作を制御するもので、区分けマーク１０１が付された単位用紙１００の次に送られてきた、先頭ページとなるべき単位用紙１００には糊を塗布せず、他の単位用紙１００には表面の所定位置１０２に糊を塗布するものである。
【００１５】
マークセンサ４を通過した単位用紙１００は、移送されながら縦横変換部５により９０度変換される。この縦横変換部５は、円柱状の規制体５１と、用紙移送経路に対してほぼ４５度の角度で斜めに位置する斜行コロ５２とからなり、これら規制体５１と斜行コロ５２は、昇降可能で単位用紙１００の移送経路に対して進退可能である。
【００１６】
規制体５１及び斜行コロ５２が下降して用紙移送経路に進出した状態にあると、横長状態で移送されてきた単位用紙１００は、図２に示すように、先端左側が前記規制体５１に当接することにより、移動を規制されて図２の矢印Ａ方向に回転し、先端右側が斜行コロ５２に達するとさらに回転して、縦長状態となって移送される。一方、前記規制体５１及び斜行コロ５２が上昇して用紙移送経路から退出した状態にあると、横長状態で移送されてきた単位用紙１００は、図３に示すように、そのままの状態で移送されていく。
【００１７】
この縦横変換部５によって縦横が変換された単位用紙１００は、図２に示すように、糊ノズル６により表面の一方の長辺に沿って糊が塗布され、縦横が変換されなかった単位用紙１００は、図３に示すように、糊ノズル６により表面の一方の短辺に沿って糊が塗布される。
【００１８】
なお、区分けマーク１０１は糊が塗布される位置に対応して設けられるので、縦横位置が変換されない単位用紙１００は、図４に示すように、表面の短辺に沿った位置に区分けマーク１０１が設けられ、縦横位置が変換される単位用紙１００は、図示していないが、表面の長辺に沿った位置に区分けマーク１０１が設けられる。そして、この区分けマーク１０１の位置に応じて、マークセンサ４の配置位置も決定されるものである。また、縦横位置の変換の有無に関わらず、単位用紙１００の裏面の短辺に沿った位置に区分けマーク１０１を設けて、前記マークセンサ４を表裏反転部３の前段に配置してもよい。
【００１９】
糊ノズル６に続いて設けたスタック部７は、単位用紙１００をスタック部７内に引き入れる一対の搬入ローラ７１，７２と、単位用紙１００の糊を付けた表面を下に向けるようガイドする湾曲状のガイド板７３と、このガイド板７３に対向するよう配置した移送ローラ７４，７５と、表面を下にして移送されてきた単位用紙１００の先端を突き当てるストッパ７６と、このストッパ７６に沿って昇降可能で、単位用紙１００を載置するとともに、その載置量に応じて下降する載置ベルト７７とからなる。そして、スタック時に対接した糊塗布部分で先頭ページから最終ページまでの１グループの単位用紙１００同士を一辺側で綴じ合わせて冊子２００とする。
【００２０】
図２及び図３に示すように、スタック部７の冊子２００を搬出するための搬出ベルト８１，８２が、載置ベルト７７の最下降位置の延長上に設けられている。そして、前記載置ベルト７７上に所定数の冊子２００が載置されて、前記載置ベルト７７が最下降位置に達すると、前記載置ベルト７７上の冊子２００は、搬出ベルト８１に移送され、次いで、搬出ベルト８２に移送されるのである。
【００２１】
続いて、製本装置１の動作を説明する。はじめに、単位用紙１００を縦横変換部５で縦横変換して縦長状態で冊子２００にする場合を、図２に基づいて説明する。まず、各単位用紙１００を横長状態で単片プリンタ２にかけ、各単位用紙１００の表面に所望の情報を印字し、裏面が上になった状態で各単位用紙１００を前記単片プリンタ２から排出する。次いで各単位用紙１００は、順次表裏反転部３に導かれて表裏反転し、表面が上になった状態で単位用紙１００に設けた区分けマーク１０１がマークセンサ４によって読み取られる。
【００２２】
続いて単位用紙１００は、図２に示すように、先端左側が規制体５１に当接することにより、移動が規制されて図２の矢印Ａ方向に回転し、先端右側が斜行コロ５２に達するとさらに回転して、縦長状態となって移送される。そして、単位用紙１００表面の長辺に沿った所定の糊塗布位置に糊ノズル６によって糊が塗布される。前記単位用紙１００が区分けマーク１０１が設けられた単位用紙１００の次に位置する場合には、先頭ページとなる用紙なので、糊ノズル６の糊塗布動作は行われない。
【００２３】
所定の糊塗布位置に糊を塗布した単位用紙１００、あるいは糊を塗布しない先頭ページとなる単位用紙１００は、表面を下に向けた状態でストッパ７６に突き当てられ、載置ベルト７７上に順次堆積されてスタックされる。この時、対接した糊塗布部分で単位用紙１００同士が綴じ合わされて冊子２００となる。冊子２００は、所定量堆積すると搬出ベルト８１，８２に順次移送されて、所定の保管場所に搬出される。
【００２４】
次に、単位用紙１００を縦横変換部５で縦横変換することなく、横長状態のままで冊子２００にする場合を、図３に基づいて説明する。まず、各単位用紙１００を横長状態で単片プリンタ２にかけ、各単位用紙１００の表面に所望の情報を印字し、裏面が上になった状態で各単位用紙１００を前記単片プリンタ２から排出する。次いで各単位用紙１００は、順次表裏反転部３に導かれて表裏反転し、表面が上になった状態で単位用紙１００に設けた区分けマーク１０１がマークセンサ４によって読み取られる。
【００２５】
続いて単位用紙１００は、単位用紙１００表面の短辺に沿った所定の糊塗布位置１０２に糊ノズル６によって糊が塗布される。前記単位用紙１００が区分けマーク１０１が設けられた単位用紙１００の次に位置する場合には、先頭ページとなる用紙なので、糊ノズル６の糊塗布動作は行われない。
【００２６】
所定の糊塗布位置に糊を塗布した単位用紙１００、あるいは糊を塗布しない先頭ページとなる単位用紙１００は、表面を下に向けた状態でストッパ７６に突き当てられ、載置ベルト７７上に順次堆積されてスタックされる。この時、対接した糊塗布部分で単位用紙１００同士が綴じ合わされて冊子２００となる。冊子２００は、所定量堆積すると搬出ベルト８１，８２に順次移送されて、所定の保管場所に搬出される。
【００２７】
なお、上述した実施形態では、単位用紙１００に設けた区分けマーク１０１によって糊の塗布動作を制御したが、この区分けマーク１０１を設けていない単位用紙１００を使用して冊子２００を作成することも可能であり、この場合には、丁合する用紙の枚数をキータッチ入力するタッチパネル等からなる設定枚数入力部を設ければよい。そして、この設定枚数入力部に入力された丁合する用紙の枚数を用紙移送経路に沿って設けたカウンタでカウントし、このカウント数が入力した設定枚数に達する毎に、次の単位用紙１００に対しては糊の塗布動作を行わないように制御すればよいものである。
【００２８】
また、区分けマーク１０１を設けていない単位用紙１００を使用して冊子２００を作成する場合に、上述した設定入力部とカウンタによる構成に換えて、単片プリント部からの信号に基づいて糊塗布動作を制御するよう構成することもできる。
【００２９】
【発明の効果】
以上説明したところで明らかなように、本願の請求項１の発明である製本装置によれば、糊綴じによって、枚数の多少に関わらず、簡単かつ確実な綴じ処理を行うことができ、また、湾曲状のガイド板にガイドされ反転し、ストッパに突き当たって、糊の塗布面を下向きにしてスタック部に堆積するので、作業を途中で中断した場合でも、糊の塗布面は先にスタックされた単位用紙に対接するから、塗布した糊が接着前に乾くことがないほか、縦横変換部の動作、非動作に応じて、糊付け位置を長辺に沿った位置か短辺に沿った位置かのいずれかに選択できるので、長辺側で綴じ合わせた冊子と、短辺側で綴じ合わせた冊子とを適宜選択して作成でき、さらには、単片プリント部による印字面が下側になって排出される単位用紙を表裏反転して上側から糊付けすることができるので、印字面を糊塗布面として冊子を作成できるという効果を奏する。
【図面の簡単な説明】
【図１】製本装置の全体を示す概略的な側面図。
【図２】縦横変換部の変換動作状態時の動作を示す斜視図。
【図３】縦横変換部の非変換動作状態時の動作を示す斜視図。
【図４】区分けマークを設けた単位用紙を示す平面図。
【符号の説明】
１      製本装置
２      単片プリンタ
３      表裏反転部
４      マークセンサ
５      縦横変換部
６      糊ノズル
７      スタック部
３１      反転ガイド
３２，３３      送入ローラ
３４，３５      送出ローラ
５１      規制体
５２      斜行コロ
７１，７２      搬入ローラ
７３      ガイド板
７４，７５      移送ローラ
７６      ストッパ
７７    載置ベルト
１００      単位用紙
１０１      区分けマーク
２００      冊子
【図１】
0003606747.tif 000002
【図２】
0003606747.tif 000003
【図３】
0003606747.tif 000004
【図４】
0003606747.tif 000005